(57)【要約】【課題】  靴下の表裏を反転させる装置の提供。【解決手段】  筒状部１０を有する対象物１の前記筒状部１０の内部に一端側２１を挿入可能な挿入部２と、前記挿入部２の他端側２２に設けられた操作部３と、前記挿入部２に装着され、前記操作部３の操作に連動して前記筒状部１０を拡張させることのできる拡張機構４と、を備え、前記挿入部２の前記一端側２１が前記筒状部１０に挿入された状態で、前記操作部３が操作されると、前記拡張機構４を介して前記筒状部１０の内部が拡張されることを特徴とする表裏反転装置。【選択図】  図２
2020133038.tif 000002
【特許請求の範囲】
【請求項１】
筒状部を有する対象物の前記筒状部の内部に一端側を挿入可能な挿入部と、
前記挿入部の他端側に設けられた操作部と、
前記挿入部に装着され、前記操作部の操作に連動して前記筒状部を拡張させることのできる拡張機構と、を備え、
前記挿入部の前記一端側が前記筒状部に挿入された状態で、前記操作部が操作されると、前記拡張機構を介して前記筒状部の内部が拡張されることを特徴とする表裏反転装置。
【請求項２】
前記挿入部は、内側に空間部を有する棒状部材であって、且つ、前記棒状部材の長手方向に沿って形成された開口部を有し、
前記拡張機構は、
前記操作部に連結され、前記挿入部に沿って伸びる引っ張り部材と、前記引っ張り部材に回動可能に連結された連結部材と、前記連結部材に回動可能に連結され、前記挿入部に沿って伸びる滑り止め機能を持つ拡張アームと、前記挿入部の本体に固定されており、前記引っ張り部材及び前記連結部材の移動に伴って前記連結部材に当接して回動させ、それによって前記拡張アームを前記挿入部の外へ前記開口部から突出させる押し出し用突起とを有し、
前記拡張アームは、前記操作部が操作されることにより、前記挿入部の前記空間部に収納される収納姿勢と、前記開口部を介して前記空間部の外側に押し出される押出姿勢との何れかに切り替わることを特徴とする請求項１記載の表裏反転装置。
【請求項３】
前記操作部は、手の指で把持されることにより移動可能なレバー部材を有し、前記レバー部材は前記引っ張り部材に固定されており、
前記引っ張り部材の一部には弾性部材が連結されていることを特徴とする請求項２記載の表裏反転装置。
【請求項４】
前記操作部は、押圧されることにより前記引っ張り部材一端を前記操作部側に近づける押圧部材を有していることを特徴とする請求項２記載の表裏反転装置。
【請求項５】
前記操作部は、ピストル型をしていることを特徴とする請求項４記載の表裏反転装置。
【発明の詳細な説明】
【技術分野】
【０００１】
本発明は、靴下などの筒状物の表裏を反転させる表裏反転装置に関する。
【背景技術】
【０００２】
従来、靴下を脱いだ後、裏返しになったままで洗濯機に放り込むことがある。
【発明の概要】
【発明が解決しようとする課題】
【０００３】
しかしながら、そのようにした場合、洗濯後にいちいち表に返す作業が必要となり面倒であった。靴下の数が多ければ多いほどその手間は大きくなる。
【０００４】
本発明は、この様な従来の靴下についての課題に鑑みて、簡単に靴下など筒状物の表裏を反転させることのできる表裏反転装置を提供することを目的とする。
【課題を解決するための手段】
【０００５】
第１の本発明は、
筒状部１０を有する対象物１の前記筒状部１０の内部に一端側２１を挿入可能な挿入部２と、
前記挿入部２の他端側２２に設けられた操作部３と、
前記挿入部２に装着され、前記操作部３の操作に連動して前記筒状部１０を拡張させることのできる拡張機構４と、を備え、
前記挿入部２の前記一端側２１が前記筒状部１０に挿入された状態で、前記操作部３が操作されると、前記拡張機構４を介して前記筒状部１０の内部が拡張されることを特徴とする表裏反転装置である。
【０００６】
第２の本発明は、
前記挿入部２は、内側に空間部２３を有する棒状部材２４であって、且つ、前記棒状部材２４の長手方向に沿って形成された開口部２３１を有し、
前記拡張機構４は、
前記操作部３に連結され、前記挿入部２に沿って伸びる引っ張り部材４０と、前記引っ張り部材４０に回動可能に連結された連結部材４２と、前記連結部材４２に回動可能に連結され、前記挿入部２に沿って伸びる滑り止め機能を持つ拡張アーム４１と、前記挿入部２の本体に固定されており、前記引っ張り部材４０及び前記連結部材４２の移動に伴って前記連結部材４２に当接して回動させ、それによって前記拡張アーム４１を前記挿入部２の外へ前記開口部２３１から突出させる押し出し用突起４３とを有し、
前記拡張アーム４１は、前記操作部３が操作されることにより、前記挿入部２の前記空間部２３に収納される収納姿勢と、前記開口部２３１を介して前記空間部２３の外側に押し出される押出姿勢との何れかに切り替わることを特徴とする第１の本発明の表裏反転装置である。
【０００７】
第３の本発明は、
前記操作部３は、手の指で把持されることにより移動可能なレバー部材３１を有し、前記レバー部材３１は前記引っ張り部材４０に固定されており、
前記引っ張り部材４０の一部には弾性部材４５が連結されていることを特徴とする第２の本発明の表裏反転装置である。
【０００８】
第４の本発明は、
前記操作部３は、押圧されることにより前記引っ張り部材４０一端を前記操作部３側に近づける押圧部材３７を有していることを特徴とする第２の本発明の表裏反転装置である。
【０００９】
第５の本発明は、前記操作部３は、ピストル型をしていることを特徴とする第４の本発明の表裏反転装置である。
【発明の効果】
【００１０】
本発明によれば、簡単に靴下など筒状物の表裏を反転させることができる。
【図面の簡単な説明】
【００１１】
【図１】本発明の表裏反転装置の実施の形態を示し、靴下を挿入する前の状態を示す斜視図
【図２】本発明の表裏反転装置の実施の形態を示し、靴下を挿入した後の動作を示すための斜視図
【図３】図１の実施の形態に対応する内部構造を示し、靴下を挿入する前の状態を示す略示断面図
【図４】図２の実施の形態に対応する内部構造を示し、靴下を挿入した後の動作を示す略示断面図
【図５】（ａ）本発明の表裏反転装置の別の実施の形態を示し、靴下を挿入する前の状態を示す略示断面図、（ｂ）は靴下を挿入した後の動作を示す略示断面図
【図６】（ａ）本発明の表裏反転装置の別の実施の形態を示し、靴下を挿入する前の状態を示す略示断面図、（ｂ）は靴下を挿入した後の動作を示す略示断面図
【図７】（ａ）本発明の表裏反転装置の別の実施の形態を示し、靴下を挿入する前の状態を示す略示断面図、（ｂ）は靴下を挿入した後の動作を示す略示断面図
【図８】本発明の表裏反転装置の別の実施の形態を示す斜視図
【図９】（ａ）本発明の表裏反転装置の別の実施の形態を示し、靴下を挿入する前の状態を示す斜視図、（ｂ）は靴下を挿入した後の動作を示す斜視図
【図１０】（ａ）図９（ａ）の実施の形態に対応する内部構造を示し、靴下を挿入する前の状態を示す略示断面図、（ｂ）図９（ｂ）の実施の形態に対応する内部構造を示し、靴下を挿入した後の動作を示す略示断面図
【図１１】本発明の表裏反転装置の別の実施の形態を示す斜視図
【図１２】（ａ）図１１の実施の形態に対応する内部構造を示し、靴下を挿入する前の状態を示す略示断面図、（ｂ）図１１の実施の形態に対応する内部構造を示し、靴下を挿入した後の動作を示す略示断面図
【発明を実施するための形態】
【００１２】
以下に、本発明の表裏反転装置の実施の形態について、図面を用いて説明する。
【００１３】
図１は本発明の表裏反転装置の実施の形態の斜視図である。図３はその内部構造を示す断面図である。図２は同実施の形態の拡張アームが突出した状態を示す斜視図である。図４はその内部構造を示す断面図である。
【００１４】
図１乃至図４において、例えば靴下のような筒状部１０を有する対象物１の表と裏を反転させる場合について説明する。
【００１５】
図１乃至図４において、本実施の形態の表裏反転装置は、筒状部１０を有する対象物１の前記筒状部１０の内部に先端側２１が挿入可能な挿入部２を備えている。この挿入部２の後端側２２には操作部３が設けられている。
【００１６】
さらに、前記挿入部２に装着されており、前記操作部３の操作に連動して前記筒状部１０を拡張させることのできる拡張機構４が設けられている。
【００１７】
前記挿入部２は、例えば内側に空間部２３を有する棒状部材２４である。さらに、前記棒状部材２４の長手方向に沿って、図面上上下二か所にスリット状の開口部２３１がそれぞれ形成されている。なお、この挿入部２の先端は靴下などに挿入しやすいように丸みを帯びている。
【００１８】
次に、前記拡張機構４は、前記操作部３の一部であるレバー３１に連結され、前記挿入部２に沿って伸びる引っ張り部材４０を有している。この引っ張り部材４０の材料としてはワイヤーが典型であるが柔軟性のあるロッドであってもよい。
【００１９】
この引っ張り部材４０の他端には引っ張りばねのような弾性部材４５が取り付けられており、その弾性部材４５は挿入部２の本体に固定さている。その結果、常時引っ張り部材４０は操作部３とは反対側へ付勢されている。
【００２０】
また、連結部材４２が引っ張り部材４０に支点４２１において回動可能に連結されている。その連結箇所は本例では２か所であって、且つ図面上上下方向へ合計４本設けられている。
【００２１】
その連結部材４２の姿勢は、図３の場合は折り畳まれて寝ている状態であり、図４の場合は起き上がった状態である。その変化のメカニズムは後述する。
【００２２】
さらに、前記連結部材４２には拡張アーム４１が連結点４２２において回動可能に連結されている。この拡張アーム４１は２本用意され、図面上上下にそれぞれ設けられている。つまり、上記４本の連結部材４２のうち、上側の２本の連結部材４２のそれぞれの一端が上方の拡張アーム４１に回動可能に連結されており、同様に上記４本の連結部材４２のうち、下側の２本の連結部材４２のそれぞれの一端が下方の拡張アーム４１に回動可能に連結されている。
【００２３】
この拡張アーム４１は細長い板状であってもよいし、丸棒状でもよい。その外側表面が滑りにくい状態となっていることが望ましい。例えば、凹凸が形成されていたり、塩化ビニールで被覆されていたり、起毛加工がほどこされていてもよい。あるいはサンドペーパーが張り付けられていてもよい。
【００２４】
この拡張アーム４１の一端４６はＬ字状に曲がっており、靴下１０に挿入した際のストッパの役割を果たしている。
【００２５】
また、図４に示すように、挿入部２の本体の内側には、上下に４箇所押し出し用突起４３が取り付けられ、また４か所上下に収納用突起４４が取り付けられている。その位置は、図３のような拡張アーム４１が収納姿勢状態において、連結部材４２が当たらず、且つ収納用突起４４には当たるような位置である。その連結部材４２が収納用突起４４にあたる部分は、連結部材４２と引っ張り部材４０の回動可能な連結支点４２１に近い箇所である。それによって、連結部材４２は大きく傾斜して寝た状態になる。
【００２６】
反対に、図４のような拡張アーム４１が押出姿勢状態においては、連結部材４２が当たった状態であり、収納用突起４４には当たっていない位置である。
【００２７】
また、その連結部材４２が押し出し用突起４３にあたる部分は、連結部材４２と引っ張り部材４０の回動可能な連結支点４２１に近い箇所である。それによって、連結部材４２は大きく立ち上がって状態を実現できる。
【００２８】
次に、上述した本実施の形態の動作を説明する。
【００２９】
図３に示すように、例えば洗濯前に裏返っている靴下を表に反転させる場合を説明する。
【００３０】
通常は、操作部３のレバー３１は解放されている。したがって、弾性部材４５によって、自然に引っ張り部材４０は操作部３とは反対側へ引っ張られている状態である。この状態では、連結部材４２は収納用突起４４に当たっているので、連結部材４２は寝た状態となっている。
【００３１】
その結果、その状態では、連結部材４２に回動可能に連結されている拡張アーム４１も挿入部２の内部空間に引き込まれた状態となっている。
【００３２】
そこで、拡張アーム４１が外へ出ておらず引っかかる心配のない状態の収納姿勢の状態のまま、挿入部２を靴下の内部へ挿入していく。その際、拡張アーム４１の一端４６がストッパーの役割を果たす。
【００３３】
挿入し終わったあと、靴下の表裏を反転させるため、レバー３１に指を引っ掛け、弾性部材４５の付勢力に抗して手前に引く。
【００３４】
その結果、レバー３１に連結された引っ張り部材４０が操作部３の側へ引っ張られ移動し始める。それによって、引っ張り部材４０に回動可能に連結されている連結部材４２もレバー３１の方に引き寄せられる。そして少し移動すると連結部材４２が押し出し用突起４３に当たるようになる。
【００３５】
その結果、図４に示すように、連結部材４２は回動せざるを得なくなり、立ち上がり始める。従って、連結部材４２に回動可能に連結されている拡張アーム４１も挿入部２の内部空間２３から外へはみ出し始める。
【００３６】
さらにレバー３１を引っ張ると拡張アーム４１は靴下の内部を広げ始める。その結果、靴下の内部は拡張アーム４１の外面に緊張した状態で密着することになる。
【００３７】
その状態で、人が指で靴下の上端１１をつまみ、挿入部２の先端側２１へ引っ張って剥がす。その結果、自然に靴下の表裏が反転する。その際、拡張アーム４１の表面に滑り止め機能があれば、より容易に反転できる。
【００３８】
その後、靴下を取り除いた後、レバー３１を離していくと、弾性部材４５の付勢力によって引っ張り部材４０は操作部３とは反対側へ引っ張られていく。  少し移動していくと、それにつれて連結部材４２も引っ張られるが、収納用突起４４にあたり寝た状態となり停止することになる。その結果、連結部材４２に回動可能に連結されている拡張アーム４１も挿入部２の内部空間２３に引き込まれた状態となり、通常の状態となる。
【００３９】
図５（ａ）、（ｂ）は本発明の別の実施の形態を示す断面図である。ここに弾性部材４５は、挿入部２の本体にその中央が固定され、また、上下の連結部材４２にそれぞれ両端が固定された円弧状の板バネ４５１である。
【００４０】
図５（ａ）に示すように、通常状態ではその板バネ４５１の閉じる付勢力によって連結部材４２は寝た状態となり、その結果拡張アーム４１も収納姿勢となっている。
【００４１】
次に、図５（ｂ）に示すように、レバー３１が引かれると引っ張り部材４０の移動により上述したようにして拡張アーム４１が外へ飛び出す。
【００４２】
レバー３１を離すとその板バネ４５１の力によって、連結部材４２は寝た状態になる。その結果、図５（ａ）に示すように、拡張アーム４１は収納姿勢となる。
【００４３】
なお、図５（ａ）の４５２は、その板バネ４５１が操作部３側に固定されており、レバー３１と操作部３の本体フレーム３２との間に設けられている場合を示す。その結果、通常ではその板バネ４５２によってレバー３１は先端側へ押し出されており、引っ張り部材４０は先端側へ移動させられて、上述のように拡張アーム４１は収納姿勢となっている。
【００４４】
そこで、板バネ４５２に抗してレバー３１を引っ張ると上述のように引っ張り部材４０は手元側へ移動して、拡張アーム４１は外へ飛び出ることになる。
【００４５】
なお、この変形例の場合は引張部材４０はワイヤーではなく棒材である必要がある。
【００４６】
図６（ａ）、（ｂ）は本発明の別の実施の形態である。この場合の弾性部材４５はスプリング４５３である。このスプリング４５３は挿入部２の本体に固定された突起４５４と、引っ張り部材４０に形成されたストッパー部４５５の間に挿入されている。
【００４７】
したがって、このスプリング４５３の付勢力は常時引っ張り部材４０を先端側へ向かっている。
【００４８】
その結果、図６（ａ）に示すように、通常は引っ張り部材４０は先端側へ移動しており、その結果拡張アーム４１は収納姿勢を取っている。
【００４９】
そこで、レバー３１を引くと、図６（ｂ）に示すように、スプリング４５３は縮み、引っ張り部材４０は手元側へ移動し、拡張アーム４１は外へ飛び出すことになる。
【００５０】
図７（ａ）、（ｂ）は本発明の別の実施の形態であり、その特徴は、連結部材４２の引っ張り部材４０への連結支点４２１の位置が上下の連結部材４２で異なっていることである。その他は図３の実施の形態と同様である。
【００５１】
図８は本発明の別の実施の形態であり、その特徴は、拡張アーム４１が前後に分かれていることである。図８の場合は２つに分かれているがそれ以上に分かれていてもかまわない。
【００５２】
図９（ａ）、（ｂ）は本発明の別の実施の形態であり、その特徴はレバー式ではなく、押しボタン式であることである。
【００５３】
すなわち、操作部３は本発明の押圧部材の一例である押しボタン３７を押すことで、図９（ｂ）に示すように拡張アーム４１が外へ飛び出してくるようになっている。図９（ａ）は押しボタン３７を押していない通常の場合である。
【００５４】
その内部構造を図１０（ａ）、（ｂ）に示す。ここに引っ張り部材４０はワイヤーであり、操作部３の本体に固定された支軸３４に捲回され、更にアーム３６の上端の連結部３５に結ばれている。
【００５５】
アーム３６の下端は操作部３の本体に固定された保持部３３に回動可能に保持されており、アーム３６はある程度回動可能となっている。
【００５６】
さらに、その連結部３５には、押しボタン３７の指で押す部分が乗っかっている。つまり、押しボタン３７を押すと連結部３５は下へ押し下げられて回動するようになっている。
【００５７】
そこで、普通には押しボタン３７が押されていないので、弾性部材４５によって引っ張り部材４０は先端方向へ引っ張られ、連結部３５で連結されているアーム３６は上方へ立った状態をとっている。押しボタン３７は上へ出た状態となっている。
【００５８】
次に、押しボタン３７を押し下げると、連結部３５が下がるのでアーム３６は回動せざる得なくなり、図１０（ｂ）に示すように、連結部３５は下に下がるにつれて、先端側へ移動することになる。
【００５９】
その結果、引っ張り部材４０は引っ張られることになり、図１０（ｂ）に示すように、拡張アーム４１は外へ飛びだすことになる。
【００６０】
図１１は本発明の別の実施の形態であり、その特徴は押しボタン式であるが、その操作部３の形状がピストル型グリップであることである。
【００６１】
その内部構造は図１２（ａ）、（ｂ）に示すように、引っ張り部材４０が下方に回っていることである。原理的には図１０の場合と同様である。なお、この場合の特徴は押しボタン３７の押すときの押しボタン３７自身の回動支点が上述した支軸３４をほぼ兼ねていることである。
【００６２】
図１２（ａ）は普段の収納姿勢の状態であり、図１２（ｂ）は拡張アーム４１を外へ飛び出させ、押し出し姿勢の状態を示す。
【００６３】
なお、上記実施の形態では本発明の対象物として靴下を例にとって説明したが、これに限らず、筒状部を持つものならゴム手袋などの他の物にでも適用可能である。
【産業上の利用可能性】
【００６４】
本発明によれば、簡単に靴下など筒状物の表裏を反転させることのできる表裏反転装置を提供することができ有用である。
【符号の説明】
【００６５】
１      対象物
１０    筒状部
２      挿入部
２１    先端側
２２    後端側
２３    空間部
２３１  開口部
２４    棒状部材
３      操作部
３１    レバー
３２    操作部フレーム
３３    保持部
３４    支軸
３５    連結部
３６    アーム
３７    押しボタン（押圧部材）
４      拡張機構
４０    引っ張り部材
４１    拡張アーム
４２    連結部材
４３    押し出し用突起
４４    収納用突起
４５    弾性部材
４２１  連結支点
４５１  板バネ
４５２  板バネ
４５２  スプリング
４５４  突起
４５５  ストッパー部
４６    一端
【図１】
2020133038.tif 000003
【図２】
2020133038.tif 000004
【図３】
2020133038.tif 000005
【図４】
2020133038.tif 000006
【図５】
2020133038.tif 000007
【図６】
2020133038.tif 000008
【図７】
2020133038.tif 000009
【図８】
2020133038.tif 000010
【図９】
2020133038.tif 000011
【図１０】
2020133038.tif 000012
【図１１】
2020133038.tif 000013
【図１２】
2020133038.tif 000014